(57)【要約】【課題】ホールソーの刃先の研磨を、熟練を要することなく誰でも簡単に、短時間で行なえ、しかも、仕上げの良い研磨が順送りで行なるホールソーの刃先研磨装置を提供することを課題とする。【解決手段】ホールソー後端の軸部を保持してハンドル操作によりホールソーを軸回転操作させることが可能なホールソーの保持機構と、ばねの付勢力を得てストッパー部材の先端部分がホールソーの刃先に当接して、ホールソーの軸回転を停止させることが可能なストッパー機構と、円板形状を有し、その外周端面が斜面で形成された研磨板が、モーターの駆動軸の先端部に装着された研磨機と、ストッパー機構を基台上方の一定高さの位置に配置させるとともに、その上下高さ及び傾斜姿勢のうちの少なくとも上下高さの調整が可能なストッパー機構の支持手段と、研磨機を基台上方の一定高さの位置に配置させるとともに、その上下高さ及び水平方向の角度位置の調整が可能な研磨機の支持手段と、ホールソーの先端近傍部分を下方から支持するホールソーの支持手段とが備えられている。【選択図】図１
2005288675.tif 000002
【特許請求の範囲】
【請求項１】
ホールソーの刃先を研磨する電動式の研磨装置であって、
ホールソー後端の軸部を保持してホールソーを軸回転操作させることが可能なホールソーの保持機構と、
ストッパー部材の先端部分がホールソーの刃先に当接して、ホールソーの軸回転を停止させることが可能なストッパー機構と、
円板形状を有する研磨板が、電動駆動軸の先端部に装着された研磨機と、
研磨機を基台上方の一定高さの位置に配置させるとともに、その上下高さ及び水平方向の角度の調整が可能な円柱支持機構を備えたことを特徴とする。
【発明の詳細な説明】
【技術分野】
【０００１】  本発明は、モーターで円板形状の研磨板を回転させて、ホールソーの刃先の研磨を行うホールソーの刃先研磨装置に関する。
【背景技術】
【０００２】  建築工事、内装工事などにおいて、壁面にエアコンの室内機と室外機とを連結する管を通す工事をするとき、壁面、天井面、床面などに電線、給水管、排水管などを通す工事をするとき、金属板に電線を通す工事をするとき、金属板に円形の計器を後付けするときには、これらの面に、例えば、７０〜１２０ｍｍφ程度の大きな貫通穴（孔）を設ける必要があり、その作業には、電動ドリルドライバーの先端部にホールソーを装着した電動ドリルが用いられている。
ホールソーは、有底円筒形状を有する鉄製の円筒部の先端周縁部分に沿って多数の刃が設けられ、円筒部後端の中心箇所から後方に向けて取付軸部が突出した形状を有するドリルビットであり、更に、円筒部の中心から前方に向けて小径のドリル部分を突出させたホールソーもある。
ところで、ホールソーを回転させて、その先端の刃でコンクリートや金属板などのように硬い面に貫通穴を設ける作業を続けると、次第に刃先が磨耗して切れ味が悪くなり、切れ味の悪いホールソーをそのまま使用すると、作業効率が低下して、作業時間が長くなり、また、貫通穴の端面や内周面が綺麗な面に仕上がらない。
このため、ホールソーの刃先が磨耗して切れ味が悪くなると、新しいホールソーと交換し、或いは、ホールソーの刃先を研磨していた。そして、ホールソーの刃先の研磨のための専用研磨装置が無かったために、億版によく用いられるグラインダー等で研磨していた
【発明が解決しようとする課題】
【０００３】  しかしながら、ホールソーの刃先が磨耗する度に新しいホールソーに交換すると、買い替えの経費負担が増加する。しかも、新しいホールソーに交換するまで、切れ味が低下したホールソーを使用することにもなる。
このため、ホールソーの刃先の切れ味がある程度以上に低下すると、刃先を研磨することが望ましいが、グラインダー等を用いて手作業で刃先の研磨作業をすると、ホールソーには多数の刃が設けられているために、全部の刃先を研磨するまでに相当の作業時間を要し、作業者の負担も大きかった。しかも、研磨作業に熟練していないと、研磨した後の刃先角に不揃いが生じて、切れ味が却って低下することもあった。
【０００４】  このため、本発明者は、ホールソーの刃先の研磨を、熟練を要することなく誰でも簡単に、短時間で行なえ、しかも、仕上げの良い研磨ができる、ホールソーの刃先研磨装置の開発に着手し、その後における鋭意・検討の結果、本発明を完成するに至った。
本発明は、ホールソーを研磨するにあたり、ホールソーの保持機構によってホールソーを安定した姿勢で保持しつつ、ストッパー機構によってホールソーの回転方向の向きを一定にさせた状態で、研磨機の先端に装着されている研磨板を高速回転させることにより、常に同じ刃先角に合わせた研磨が迅速に行なえ、しかも、ハンドル操作とストッパー機構によって、多数あるホールソーの各刃先の研磨が順送りで行なえ、更には、ホールソーの径や長さなどの違いにも対応できるホールソーの刃先研磨装置を提供することにより、従来有していた課題を解決しようとするものである。
【課題を解決するための手段】
【０００５】  以上の課題を解決するための手段である本発明のホールソーの刃先研磨装置は、ホールソーの刃先を研磨する電動式の研磨装置であって、
ホールソー後端の軸部を保持してホールソーを軸回転操作させることが可能なホールソーの保持機構と、
ストッパー部材の先端部分がホールソーの刃先に当接して、ホールソーの軸回転を停止させることが可能なストッパー機構と、
円板形状を有する研磨板が、電動駆動軸の先端部に装着された研磨機と、
研磨機を基台上方の一定高さの位置に配置させるとともに、その上下高さ及び水平方向の角度の調整が可能な円柱支持機構を備えたことを特徴とする。
【０００６】本発明のホールソーの刃先研磨装置により研磨されるホールソーは、有底円筒形状を有する鉄製の円筒部の先端周縁部分に沿って多数の刃が設けられ、円筒部後端の中心箇所から後方に向けて取付軸部が突出した形状を有するものが該当する。そして、円筒部の中心から前方に向けて小径のドリル部分を突出させたホールソーを研磨するときには、この小径のドリル部分を取り外して研磨する。尚、ホールソーには径や長さの違いにより各種のものがあるが、本発明のホールソーの刃先研磨装置はこれらの違いにも対応できる。
【０００７】  本発明のホールソーの刃先研磨装置は、テーブルや床の上に置いて使用する。
ホールソーの保持は、基台上に装着されているホールソーの保持機構の先端部に設けられているチャックで、ホールソー後端の軸部を肘することにより行なわれ、この保持機構のハンドルを操作すると、ホールソーを軸回転させることができる。
ホールソーの刃先の研磨は、モーターで高速回転させた円板形状の研磨板の周縁部分を刃先に接触させて行ない、この研磨板の周縁部はホールソーの刃先角に合わせた斜面になっている。
【０００８】  多数ある刃先のうちの１つの刃先の研磨を終えて、隣りの刃先の研磨をするときには、研磨板をモーターとともに少しだけ後退させて、ハンドルを少しだけ回転させつつ、ストッパー機構の先端部をホールソーの刃先に当接させる。このようにすると、ホールソーが刃先１つ分回転して停止する。そして、ストッパー機構の先端部をホールソーの刃先から離し、再び、研磨板をモーターとともに前方に移動させて、ホールソーの刃先を研磨する。このようにして、ホールソーの各刃先を順に研磨する。尚、研磨はホールソーの基部側を片支持させた状態で行なわれるので、研磨の際にホールソーの先端部がブレる可能性があるが、この問題には、ホールソーの先端近傍部分をホールソーの支持手段で下方から支持することによって対処している。
【発明の効果】
【０００９】  本発明によるホールソーの刃先研磨装置によれば、ホールソーの円筒部分先端に設けられている多数の刃の研磨が、モーターで回転させた円板形状の研磨板を各刃先毎に接触させて行なわれるので、グラインダー等を用いた手作業による研磨と比べて格段に早く研磨作業ができるようになった。
しかも、この研磨は、ホールソーの保持機構によってホールソーを保持した状態で行なわれるので、研磨作業が楽に行なえ、特に、ホールソーの軸回転方向の位置合わせが、ばねで付勢されたストッパー機構の先端部を、ホールソーの刃先に当接させて行なわれるので、刃先を正確な研磨位置で係止させて、研磨できるようになった。更には、研磨板として、外周端面が刃先角に合わせた傾斜面を有する研磨板を用いた結果、刃先角に合わせた不揃いの無い正確な刃先の研磨ができるようになった。
【００１０】  また、本発明のホールソーの刃先研磨装置によれば、ホールソー先端の各刃先の研磨を順に行なうときには、ホールソーの保持機構のハンドルを少しずつ回転させるだけで、ストッパー機構の先端部によって、研磨を終えた刃先の隣りの刃先を研磨する位置で停止させることができるようになったので、各刃先の研磨が一層、楽に、しかも短時間で行なうことができ、また、刃数の違いにも対応でき、研磨の仕上がりも、刃先角の不揃いが無く、切れ味の良い仕上がりになったのである。
【００１１】  この他にも、本発明のホールソーの刃先研磨装置によれば、ホールソーの大きさなどに合わせて、ホールソーの保持機構、ストッパー機構などによって、研磨機などの高さと位置が調整できるようにした結果、径及び長さなどの違ったホールソーにも十分に対応できるようになったのである。
【００１２】  このように、本発明のホールソーの研磨装置は、使用方法が簡単で、良好な研磨ができるので、研磨に熟練した技術を持ち合わせていなくても、誰でも容易に操作して、仕上がりの良い研磨ができるようになったのである。
この結果、ホールソーの刃先が磨耗しても、研磨することにより、新しいホールソーに買い換える経費を格段に抑えることが出来るようになったのである。
【発明を実施するための最良の形態】
【００１３】  本発明を実施するための最良の形態は、次の実施例１の通りである。
【実施例１】
【００１４】  図１は、本発明の実施例１によるホールソーの刃先研磨装置を示した正面図であり、図２は同じく平面図、図３は同じく左側面図、図４は同じく右側面図であり、図５はホールソーの保持機構の支持構造を示した側面断面図であり、図６はストッパー機構の先端部を後退させて研磨板の先端部をホールソーの刃先に接触させた状態を示した平面部分拡大図であり、これらの各図はホールソーの刃先を研磨する状態であり、図７及び図８はいずれも本装置におけるホールソーの支持手段による支持例を示した左側面断面図である。
そして、図９（ａ）は研磨板を後退させてストッパー機構の先端部をホールソーの刃先に当接させた状態を示した本装置の右側部分を示した部分平面図であり、（ｂ）図はその一部を拡大して示した図であり、図１０はストッパー機構の先端部をホールソーの刃先に当接させた状態を示した本装置の部分右側面図である。【００１５】  図１乃至図４に示す本発明の実施例１によるホールソーの刃先研磨装置（以下、実施例１のホールソーの刃先研磨装置と略称する）１は、テーブルや床など、研磨作業し易い場所に置いて使用する小型の設置型のものであり、これらの各図では、ホールソーの刃先研磨装置１でホールソー７０を保持した状態で示している。【００１６】  図１乃至図５に示すように、実施例１のホールソーの刃先研磨装置１は、左側台部３と右側台部４とを、前後に平行な２本の連結軸５，６で連結させて基台２が構成されている。この２本の連結軸５，６は、断面形状が円形の肉厚パイプであっても良い。
そして、この２本の連結軸５，６に、ホールソー７０の保持機構１０が左右方向（矢Ａ方向）に移動調整可能に装着されている。
ホールソー７０の保持機構１０は、前記連結軸５，６に嵌装されている移動台部１１の上面中央に、立設部１２を介してハンドル軸１５を回転自在に軸支させている支持部１３が溶接で固着されており、ハンドル軸１５の左側にハンドル１４が装着され、右側にチャック１６が交換可能に装着されている。
ホールソー７０の保持機構１０によるホールソー７０の保持は、このチャック１６で、ホールソー７０の後端中央から後方（図１及び図２では左側になる）に突出している軸部７２を保持することによって行なわれる。【００１７】  図１乃至図４に示すように、ホールソー７０の保持機構１０は、前記移動台部１１の上面に前後に螺装されている摘み付きネジ１７，１８の締め付けを一旦緩めて、この保持機構１０全体を右側にスライドさせた後、摘み付きネジ１７，１８を締結させることにより、左右方向（矢Ａ方向）に位置調整ができるようになっている。【００１８】  図１乃至図４に示すように、チャック１６で保持されたホールソー７０の前方（正面図では右方）には、研磨機２０が位置している。この研磨機２０は、円板形状を有し、その外周端面が刃先角に合わせた斜面で形成された研磨板２２が、モーター２１の駆動軸先端部に装着されたもので構成されており、研磨板２２の先端部分と手前部分を除いた周囲にはカバー２３が位置している。この研磨板２２による刃先の研磨は、研磨板２２の外周端面の斜面を刃先に接触させて行なう。このため、この研磨板２２は、刃先角に合わせた角度の斜面を有するものが用いられており、研磨機２０は左右方向（矢Ｅ方向）に移動調整自在に支持されている。【００１９】  研磨機２０の支持は、支持手段３０によって行なわれている。
この支持手段３０は、ケースで覆われた右側台部４の内部から上方に向けて突出している円柱３２に、研磨機２０の支持台３１の一端側に固着されている短尺形状の筒部３１ａを嵌入させて、所望の高さの位置で摘み付きネジ３４を締め付けることにより、矢Ｂ方向における所望の高さの設定が行なわる、と同時に水平方向の角度調整が可能である。この角度調節によって様々なホールソーの刃先形状にも対応出来る。ケースで覆われた右側台部４の手前面に位置する摘み付きネジ３９を回転操作することにより、前記円柱３２とともに研磨機２０を前後方向（矢Ｃ方向）の位置調整が行なわれ、前記支持台３１の右面に位置しているハンドル３５を回転操作することにより、研磨機２０の左右方向（矢Ｅ方向）の位置調整が行なわれるように構成されている。
このため、右側台部４内には、前記円柱３２の下端部を支持しているスライド台３３が位置し、右側台部４の上面には、前記円柱３２が前後方向に移動できるように長孔４ａが形成されている。そして、右側台部４に右側面に形成された長孔４ｂからスライド台３３に向けて螺装されている摘み付きネジ３７，３８を締結させることにより、スライド台３３の振れ止めが行なわれ、前記支持台３１の右側面に螺装されている摘み付ネジ３６の進退量を調整することにより、研磨機２０の左右方向（矢Ｅ方向）の移動量の規制が行なわれるように構成されている。【００２０】  ホールソー７０の軸回転を阻止するストッパー機構４０は、右側台部４の前面から上方に向けて設けられているストッパー機構の支持手段５０の上端に装着されている。
ストッパー機構４０は、正面視Ｌ形状を有する支持板４３の側面に、ストッパー部材４１の後端近傍部がピン４４で上下回転自在に支持され、このストッパー部材４１の先端部４１ａがばね４２によって上方に付勢されたもので構成され、ストッパー部分４１の先端部４１ａはホールソー７０の刃先７３の刃先角に合わせた傾斜面になっている。
ストッパー機構４０の支持手段５０は、前記支持板４３を上端に装着している可動柱５２の下部を、右側台部４の前面から上方に向けて固着されている角筒形状の基柱５１内に装着され、可動柱５２の高さの固定と高さ調整が、基柱５１の前面に形成されている長孔５１ａから可動柱５２に向けて螺装されている摘み付きハンドル５３の締結操作によって行なわれるように構成されている。【００２１】  図１乃至図４を参照しつつ図７に示すように、ケースで覆われた右側台部４の左側面に沿う位置には、ホールソー７０の円筒部７１の下部を支持する、ホールソー７０の支持手段６０が位置している。この支持手段６０は、肉厚のＶ形材６１の一端を、ピン６２と摘み付きネジ６３とによって装着されたもので構成され、Ｖ形板６１のＶ底は、ホールソー７０の軸心の下方に位置している。そして、これらピン６２及び摘み付きネジ６３を挿通させているＶ形板６１側の孔は、上下方向に向けた長孔６１ａで形成されており、摘み付きネジ６３の締結を一旦緩めることにより、Ｖ形板６１の上下調整が可能である。
このため、図８に示すように、円筒部７１の径が異なるホールソー７０の支持にも対応できる。【００２２】  図１乃至図５を参照しつつ図６に示すように、ホールソー７０の刃先７３の研磨は、モーター２１とともに研磨板２２を矢Ｅ１方向に移動させて、高速回転させた研磨板２２の周端の傾斜面２２ａを、ホールソー７０の中央上端の研磨位置に位置している刃先７３の刃先角に沿わせて行なう。このとき、ストッパー部材４１の先端部４１ａは、ばね４２で上方に付勢されているため、研磨の邪魔にならない。【００２４】  そして、この刃先７３の研磨を終えると、隣りの刃先７３を研磨位置に移動させて、こ刃先７３の研磨を行なうが、この移動の際には、図９の（ａ）（ｂ）に示すように、一旦、モーター２１とともに研磨板２２を矢Ｅ方向に移動させて、ホールソー７０を少しだけ回転させるとともに、図９（ａ）及び図１０に示すように、ストッパー部材４１を指先で操作して、その先端部４１ａを、ホールソー７０の刃先７３に当接させる。このようにすると、次に研磨する刃先７３が正確な研磨位置になり、この位置を確保したまま、ストッパー部材４１から指先を離して、その先端部４１ａを元の上方位置の戻し、モーター２１とともに研磨板２２を研磨位置まで移動させる。
ホールソー７０の円筒部７１の先端周縁に沿って多数設けられている刃先７３の研磨は、この操作を繰り返して行なう。
【図面の簡単な説明】
【００２５】
【図１】本発明の実施例１によるホールソーの刃先研磨装置を示した正面図である。
【図２】同じく平面図である。
【図３】同じく左側面図である。
【図４】同じく右側面図である。
【図５】ホールソーの保持機構の支持構造を示した側面断面図である。
【図６】ホールソーの支持手段による支持構造を示した側面断面図である。
【図７】本装置におけるホールソーの支持手段による支持例を示した左側面断面図である。
【図８】本装置におけるホールソーの支持手段による支持例を示した左側面断面図である。
【図９】（ａ）は研磨板を後退させてストッパー機構の先端部をホールソーの刃先間の谷に係止させた状態を示した本装置の右側部分を示した部分平面図であり、（ｂ）図はその一部を拡大して示した図である。
【図１０】ストッパー機構の先端部をホールソーの刃先に係止させた状態を示した本装置の部分右側面図である。
【符号の説明】
【００２６】      １      ホールソーの刃先研磨装置
２      基台
３      左側台部
４      右側台部
５，６  連結軸
１０      ホールソーの保持機構
１１      移動台部
１２      立設部
１３      支持部
１４      ハンドル
１５      ハンドル軸
１６      チャック
１７，１８  摘み付きネジ
２０      研磨機
２１      モーター
２２      研磨板
３０      （研磨機２０の）支持手段
３１      支持台
３１ａ    筒部
３２      円柱
３３      スライド台
３４      摘み付きネジ
３７，３８  摘み付きネジ
３９      摘み付きネジ
４０      ストッパー機構
４１      ストッパー部材
４１ａ    先端部
４２      ばね
５０      ストッパー機構の支持手段
５１      基柱
５２      可動柱
５３      摘み付きネジ
６０      ホールソーの支持手段
６１      Ｖ形板
６２      ピン
６３      摘み付きネジ
７０      ホールソー
７１      円筒部
７２      軸部
７３      刃先
【図１】
2005288675.tif 000003
【図２】
2005288675.tif 000004
【図３】
2005288675.tif 000005
【図４】
2005288675.tif 000006
【図５】
2005288675.tif 000007
【図６】
2005288675.tif 000008
【図７】
2005288675.tif 000009
【図８】
2005288675.tif 000010
【図９】
2005288675.tif 000011
【図１０】
2005288675.tif 000012